(57)【要約】      （修正有）【課題】  定量化された銀イオンとカルシウムイオン水の生成器を提供する。【解決手段】  安定電圧供給部２がポットＰの内部底部に収納され直流電源１から直流電流が供給される。超音波振動子稼働手段３もポットの内部底部に収納され、上記の安定電圧供給部からの出力電流により稼働される。カルシウムイオンを発生する手段としては、まず、超音波振動子４がポットの内部底部に収納され超音波振動子稼働手段からの出力電流により稼働され、超音波をポットの水槽５内の水Ｗに伝える。炭酸カルシウムが主成分である焼成風化珊瑚パウダー６入りのカートリッジがポットの水槽の内部のカートリッジ収納部７に挿入され超音波振動を受ける。銀イオンを発生する装置としては、パルス電流を発生する銀イオン電極固定部９に固定された陽電極銀棒１０と陰電極銀棒１１が、上記のポットの水槽に挿入され、上記の安定電圧供給部２からの出力電流を受ける構成からなる。【選択図】  図１
2007069138.tif 000002
【特許請求の範囲】
【請求項１】
直流電源、該直流電源から直流電流が供給される安定電圧供給部、該安定電圧供給部からの出力電流により稼働される超音波振動子稼働手段、該超音波振動子稼働手段からの出力電流により稼働される超音波振動子、該超音波振動子に結合しこの超音波振動子からの超音波をその水槽内の水に伝えるポットの水槽、該ポットの水槽の内部に挿入されその超音波を受ける焼成風化珊瑚パウダー、上記の安定電圧供給部からの出力電流を受けるものであってパルス電流を発生する銀イオン電極固定部、該銀イオン電極固定部からの出力電流を受けるものであって上記のポットの水槽中に挿入される一対の銀イオン電極銀棒、より構成されることを特徴とした定量的な銀イオン・カルシウムイオン水の生成器。
【請求項２】
安定電圧供給部が、抵抗と発光ダイオードとから成る電源入力表示手段、該電源入力表示手段の下流に結合するダイオードと抵抗と定電圧ダイオードを主として成る電圧・電流の一定方向一定化手段、より構成されることを特徴とした請求項１に記載の定量的な銀イオン・カルシウムイオン水の生成器。
【発明の詳細な説明】
【技術分野】
【０００１】
本発明は、定量化及びイオン化がとても難しい水中カルシウムイオンと銀イオンを容易に同時に生成する装置に関するものである。
【背景技術】
【０００２】
人体に吸収されるカルシウムイオンは重要な役割と作用をするが、その中で、骨成形、筋肉収縮、白血球の貧欲作用、精子運動、細胞分裂、電気的な興奮、ホルモン分泌などがあり、高血圧などの生活習慣病の予防に大事な役割をする。
【０００３】
健康な食生活において、カルシウム摂取はとても大事であるが、殆どカルシウムの摂取不足になっている。その理由は、乳酸、燐酸、炭酸と結合したカルシウムを摂取することから、沢山のカルシウムを飲んでいる。しかし、この結合形態では、イオン化されにくい上、吸収率が非常に低い。このような理由で、従来から電気分解式のイオン水器が市販されている。しかし、その構成装置が高価で複雑であると言う問題点をもっており、乳酸カルシウムを使うものが多い。特に、定量化及びイオン化が難しいと指摘されてきた。
【０００４】
一方、純粋な銀イオン水は、純粋な蒸留水中のナノサイズのイオン化した無毒な銀イオンが添加されたものである。これは、世界的な環境基準では、一日、１kgの体重当たり、0.14mg許容される。この銀イオン水は、ペニシリンやマイシンのような抗生剤が出る前までは、薬物耐性が生じない自然抗生物質として、梅毒治療や伝染性疾患に幅広く使われた。1990年代から、従来の殆どの抗生物質に、薬物耐性があることが分かり、抗生物質の誤用や乱用が強く指摘された。そこで、その代用として米国を中心とした健康補助食品として、銀イオン水が市販されることになった。問題は、銀イオン水の濃度と化学物質との化合状態による副作用の恐れである。このことから、従来の窒酸や硝酸やタンパク質と化学的に化合されない99.99％の純粋な銀を使った定量化できる低濃度の銀イオンを作る生成器が要求される。
【０００５】
従来、銀添活性炭や銀添珊瑚を使って、水圧から銀イオンとミネラルイオンが混合された技術がある。しかし、問題はイオン化と定量化がとても難しいと指摘されている。銀やカルシウムがイオン化と定量化がとても難しいといわれる主な理由は、水に与えられるエネルギーがとても関連性が高いといわれるからである。そこで、水を一定的にクラスタ化する、一定的なエネルギー源が必要としている。
【発明の解決しようとする課題】
【０００６】
本発明は、安定電圧を供給することから、超音波振動子からの定量化できる振動エネルギーと電気分解エネルギーによって、小さい水クラスタ分裂により、定量化されたカルシウムイオンと銀イオンを経時的に生成することができる発生器を提供することが課題とされている。
【特許文献１】特開２０００−２２７２３９
【発明の開示】
【発明が解決しようとする課題】
【０００７】
解決しようとする問題点は、カルシウムイオンと銀イオンを経時的に定量化するためには、安定的な振動エネルギーと電気分解エネルギーが必要である。それは、そのエネルギーは、安定的な電圧を供給することが必要となる。
【０００８】
ミネラルがない状態での純粋な水分子は、単純な「Ｈ２Ｏ」ではなく「（Ｈ２Ｏ）ｎ」という幾つの水分子が強い結合力をもっている。安定電圧が与えられた超音波稼働発生装置によって、超音波振動子から発生する４０ＫＨｚの超音波を水中に発射すれば、水分子は収縮と膨張が交代に起こる波動エネルギーによって、水分子が微細なクラスタ状態に分裂されて、イオン化される。
【０００９】
振動エネルギーが水分子（Ｈ２Ｏ）と炭酸カルシウム（ＣａＣＯ３）に与えられると、水分子は水素イオン（Ｈ＋）、水酸化イオン（ＯＨ−）、カルシウムイオン（Ｃａ２＋）、重炭酸塩イオン（ＨＣＯ３−）、酸素イオン（Ｏ２）が発生し、水素イオンは蒸発され、溶存酸素が高いカルシウムイオン水がなる。
ＣａＣＯ３ → ＣＡ２＋ ＋ ＣＯ３２−
ＣＯ２＋Ｈ２Ｏ → Ｈ２ＣＯ３ → Ｈ＋＋ ＨＣＯ３−
Ｈ２Ｏ → Ｈ＋ ＋ ＯＨ−
４ＯＨ → Ｈ２Ｏ ＋ Ｏ２ ＋ ｅ−
【００１０】
一方、安定電圧を水中に入れた二つの電極（陽極、陰極）銀棒に与えると、異なる二つの反応が起こるが、陽極には銀イオン（Ａｇ＋）と電子イオン（ｅ−）で分かれる酸化反応、陰極には銀イオンと電子イオンが結合する還元反応がおこる。
陽極銀棒の酸化反応：Ａｇ → Ａｇ＋ ＋ ｅ−
陰極銀棒の還元反応：Ａｇ＋ ＋ ｅ− →  Ａｇ
【００１１】
すなわち、陽極から電子イオン（ｅ−）と銀イオン（Ａｇ＋）が放出され、同時に銀イオン（Ａｇ＋）の一部は、陰極にある電子イオン（ｅ−）と結合する。陽イオン化された銀イオン（Ａｇ＋）が電気分解された蒸留水の中に含まれ、銀イオン水になるわけである。電気分解時に、純銀のみがイオン化されるだけではなく、超音波振動力による水分子の分裂と同じように、水素イオン（Ｈ＋）と水酸基イオン（ＯＨ−）が生じる。そして、水素イオン（２Ｈ＋）は電子イオン（２ｅ−）と結合しながら水素（Ｈ２）の形態で蒸発し、水酸基イオン（４ＯＨ−）は水分子（２Ｈ２Ｏ）と酸素（Ｏ２）と電子イオン（４ｅ−）が生成される。
【課題を解決するための手段】
【００１２】
本発明にかかる定量的な銀イオン・カルシウムイオン水の生成器は、以上の課題を解決するために、直流電源から直流電流が供給される安定電圧供給部からの出力電流により稼働される超音波振動子稼働手段があり、これからの出力電流により稼働される超音波振動子に結合しこの超音波振動子からの超音波をその水槽内の水に伝えるポットの水槽かあり、この内部に挿入される焼成風化珊瑚パウダー入りのカートリッジからなるものとした。一方、上記の安定電圧供給部からの出力電流を受けるものであって上記のポットの水槽中に挿入される一対の銀イオン電極銀棒より成るものとした。
【００１３】
以下に、本発明にかかる定量的な銀イオン・カルシウムイオン水の生成器の具体的な構成を詳細に記載する。最初に、本発明の請求項１に記載した発明の構成を説明する。この発明は、まず、直流電源がある。つぎに、安定電圧供給部がある。この安定電圧供給部は、上記の直流電源から直流電流が供給されるものである。そして、超音波振動子稼働手段がある。この超音波振動子稼働手段は、上記の安定電圧供給部からの出力電流により稼働されるものである。さらに、超音波振動子がある。この超音波振動子は、上記の超音波振動子稼働手段からの出力電流により稼働されるものである。
【００１４】
そして、ポットの水槽がある。このポットの水槽は、上記の超音波振動子に結合しこの超音波振動子からの超音波をその水槽内の水に伝えるものである。さらに、焼成風化珊瑚パウダー入りのカートリッジがある。この焼成風化珊瑚パウダー入りのカートリッジは、上記のポットの水槽の内部に挿入されるものでその超音波を受ける。そして、銀イオン電極固定部がある。この銀イオン電極固定部は、上記の安定電圧供給部からの出力電流を受けるものであってパルス電流を発生するものである。最後に、一対の銀イオン電極銀棒がある。この一対の銀イオン電極銀棒は、上記の銀イオン電極固定部からの出力電流を受けるものであって、上記のポットの水槽中に挿入されるものである。
【００１５】
つぎに、その請求項２に記載した発明の安定電圧供給部の構成を説明する。この発明は、電源入力表示手段がある。この電源入力表示手段は、抵抗と発光ダイオードとから成る。そして、電圧・電流の一定方向一定化手段がある。この電圧・電流の一定方向一定化手段は、上記の電源入力表示手段の下流に結合するもので、ダイオードと抵抗と定電圧ダイオードを主として成るものである。
【発明の効果】
【００１６】
本発明にかかる定量的な銀イオン・カルシウムイオン水の生成器は、以上のごとくになしたゆえに、上記の課題を解決して以下のごとき多大な効果が生じた。すなわち、この発明の生成器は、薬物耐性を作らない無毒性である自然抗生効果をもちながら、濃度が調整できるし、定量化される銀イオンと、定量的にイオン化できるカルシウムイオン水を生成することができる。
【発明を実施するための最良の形態】
【００１７】
安定的な電圧を銀イオンを生成する電極銀棒及び超音波振動子に供給する構成にしたことにより、経時的に定量化される銀イオン水とカルシウムイオン水を生成することができると言う目的を達成した。
【実施例１】
【００１８】
しかして、本発明にかかる定量的な銀イオン・カルシウムイオン水の生成器をその具体的な実施例を用いて添付の図面と共に詳細に述べる。これは図１に示すように、まず交流・直流変換アダプターである直流電源１がある。つぎに、安定電圧供給部２がある。この安定電圧供給部２は、ポットＰの水槽５の下部空間部に収納されており、上記の直流電源１から直流電流が供給されるものである。そして、超音波振動子稼働手段３がある。この超音波振動子稼働手段３も、上記のポットＰの内部底部に収納されており、上記の安定電圧供給部２からの出力電流により稼働されるものである。
【００１９】
しかして、カルシウムイオンを発生する手段として以下のものがある。、まず、超音波振動子４がある。この超音波振動子４も、上記のポットＰの内部底部に収納されており、上記の超音波振動子稼働手段３からの出力電流により稼働されるものである。そして、上記のポットＰの水槽５がある。このポットの水槽５は、上記の超音波振動子４に結合しこの超音波振動子４からの１ＭＨｚの振動周波数の超音波をその水槽５内の水Ｗに伝えるものである。さらに、炭酸カルシウムが主成分である焼成風化珊瑚パウダーカートリッジ６がある。この焼成風化珊瑚パウダーカートリッジ６は、上記のポットＰの水槽の内部のカートリッジ収納部７に挿入されその超音波振動を受ける。
【００２０】
しかして、銀イオンを発生する装置としては、ポットＰの水槽５の蓋８の中に収納されもので、下記の二本の電極を固定しながらタイマー５５５回路によりパルス（１８Ｖ、１０Ｈｚ）波形を発生するた銀イオン電極固定部９に陽電極銀棒１０と陰電極銀棒１１から成る一対の銀イオン電極銀棒がある。この一対の銀イオン電極銀棒１０、１１も、上記のポットＰの水槽５に挿入されるものであり、上記の安定電圧供給部２からの出力電流を受けるものであって、上記のポットＰのの水槽５の中に挿入されるものである。
【実施例２】
【００２１】
つぎに、その請求項２に記載した発明の安定電圧供給部の構成を説明する。この発明は、電源入力表示手段がある。この電源入力表示手段は、抵抗と発光ダイオードとから成る。そして、電圧・電流の一定方向一定化手段がある。この電圧・電流の一定方向一定化手段は、上記の電源入力表示手段の下流に結合するもので、ダイオードと抵抗と定電圧ダイオードを主として成るものである。最後に、このポットＰを運びやすいように手ハンドル１２がある構成になるようにした。
【００２２】
図２は、本発明の電気回路図である。これは、交流・直流変換アダプター１から２ＯＶ・５００ｍＡの電源を安定化するための安定電圧供給部２である。この安定電圧供給部２は、スイッチＳＷと、電源入力表示手段２ａと電圧・電流の一定方向一定化手段２ｂとで成っている。上記の電源入力表示手段２ａは、電源入力表示のための抵抗Ｒ１と発光ダイオードＬＤから成る。そして、上記の電圧・電流の一定方向一定化手段２ｂは、電圧と電流を一定方向で一定化するためのダイオードＤ１、コンデンサーＣ１、抵抗Ｒ２、定電圧ダイオードＤ２などで構成される。
【００２３】
図３は、ポットＰの水槽５の中に蒸発水 500mlの水中の水素イオンの量を示すｐＨ濃度＝ 3.0）、ポットＰの水槽５の側面にあるカートリッジの中に不織布に囲まれた焼成風化珊瑚カルシウムパウダー（200℃焼成、100メッシュ、１０ｇ）６を入れたものに、超音波振動周波数４０ｋＨｚを発生しながら、上記の一対の電極銀棒１０，１１（ 99.99％、１４ゲージ）にパルス（１８Ｖ、１０Ｈｚ）電圧を発生できる入力電源２（直流電圧２０Ｖ・500ｍＡ）を本発明のイオン水発生器（図１）に入れたとき、metrohm社の７４４ｐＨメーターを使って、水のｐＨ濃度の経時的な変化を示したものである。
【００２４】
これによると、５分後にはｐＨ 6.8、１０分後にはｐＨ 7.4、１５分後にはｐＨ 8.0、そして２０分後になったらｐＨ 8.5になることが観察できる。これは、まず超音波振動エネルギーと電気分解から、時間的な経過により水分子がイオン化され、水酸基イオンが水素イオンよりも比例的に増加することが観察された。
【００２５】
図４は、本願発明のイオン水発生器（図１）の稼働時に、陽電極の銀棒１０から生成された銀イオン濃度の経時的な変化について、Analyticon社のＩＭ−２２Ｐイオンメーター（銀イオン電極ＡＧ２０２１）を使って測定した。これによると、５分後には 2.5ｐｐｍ、１分後には 4.5ｐｐｍ、１５分後には 7.2ｐｐｍ、２０分後には 9.5ｐｐｍくらい生成されることが観察された。
【００２６】
図５は、本願発明のイオン水発生器（図１）の稼働時に、Analyticon社のＩＭ−２２Ｐイオンメータ（カルシウムイオン電極ＣＡ−２０３２）を用いて、経時的な水中カルシウムイオン濃度の変化を示している。これによると、５分後には３２ｐｐｍ、１０分後には６３ｐｐｍ、１５分後には９５ｐｐｍ、２０分後には１２０ｐｐｍ以上のカルシウムイオン量が測定された。
【産業上の利用可能性】
【００２７】
本発明は、電気分解エネルギーと超音波振動エネルギー利用の分野において、定量化できる銀イオンとカルシウムイオンを生成し抗生物質を使用しない医療分野利用できる。
【図面の簡単な説明】
【００２８】
【図１】定量的な銀イオン・カルシウムイオン水の生成器の構成を示した側面一部断面図である。
【図２】図１のものの電気回路図を示したものである。
【図３】図１の発生器の稼働時の水のpＨ濃度の経時的な変化を表した表図である。
【図４】図１の発生器の水中の銀イオン濃度の経時的な変化を表した表図を示したものである。
【図５】図１の発生器の水中のカルシウムイオン濃度の経時的な変化を表した表図である。
【符号の説明】
【００２９】
１  直流電源
２  安定電圧供給部
2a  電源入力表示手段
2b  電圧・電流の一定方向一定化手段
３  超音波振動子稼働手段
４  超音波振動子
５  水槽
６  焼成風化珊瑚パウダー
７  カートリッジ収納部
８  蓋
９  銀イオン電極固定部
10  陽電極銀棒
11  陰電極銀棒
12  
Ｐ  ポッ
Ｗ  水
【図１】
2007069138.tif 000003
【図２】
2007069138.tif 000004
【図３】
2007069138.tif 000005
【図４】
2007069138.tif 000006
【図５】
2007069138.tif 000007